(57)【要約】【課題】家具類、電気器具、壁、サッシ、ブラインド、エアコン、置物等に付着したホコリ、ゴミや汚れを効率よく捕捉又は除去でき、手軽にしかも手が疲れずに処理できる回転式清拭具の提供。【課題の解決手段】筒状の取っ手部にモーターと電池を収容し、前記モーターの回転をギヤーを介して８０〜８００回転／分に減速させると共に同一線上方向にアウトレットシャフトを繋ぎ、このアウトレットシャフトの先端に取り付けられた襞付き清拭布を回転させるようになした回転式清拭具。【選択図】図１
2004121788.tif 000002
【特許請求の範囲】
【請求項１】
筒状の取っ手部にモーターと電池を収容し、前記モーターの回転をギヤーを介して８０〜８００回転／分に減速させると共に同一線上方向にアウトレットシャフトを繋ぎ、このアウトレットシャフトの先端に取り付けられた襞付き清拭布を回転させるようになしたことを特徴とする回転式清拭具。
【請求項２】
ギヤーとして、ギヤー比が４：１ないし１０：１の遊星ギヤーを２ないし４ユニット組み合わせ、減速後の回転数を１５０〜４００回転／分としたことを特徴とする請求項１に記載の回転式清拭具。
【請求項３】
清拭布全体重量に対して油分を５〜３０％含浸させたことを特徴とする請求項１又は２に記載の回転式清拭具。
【請求項４】
切り込みの間隔が５〜１５ｍｍで、切り込みの深さが５〜１５ｃｍの多数短冊状に襞を形成した清拭布であることを特徴とする請求項１ないし３のいずれかに記載の回転式清拭具。
【発明の詳細な説明】
【０００１】
【産業上の利用分野】
本発明は、家屋内で使用される清拭具の改良に関するものである。
【０００２】
【従来の技術】
従来より、清掃用物品としては、掃除機、はたき、ほうき、モップ、雑巾、化学雑巾等があり、目的、あるいはそれぞれの方法の長所、短所に応じて使い分けられてきた。このうち、家具類、電気器具、壁、サッシ、ブラインド、エアコン、置物等の清掃には、はたき、化学雑巾等の清拭布が手軽で広く普及している。しかし、はたきの場合、ホコリやゴミを叩き落とすだけで捕捉する効果はなく、一方化学雑巾については、ホコリやゴミを吸着できるものの、手を汚さずに雑巾の両面を活用することは難しく、また奥まった場所での使用が不便であったり汚れの除去が十分でないなど、必ずしも満足のいくものではなかった。
ところで、清掃具を回転させることにより汚れの除去効果を改善できることは知られており、床や窓ガラスの清掃などに採用されている。しかし、これらはあくまで業務用であって商用１００Ｖ電源を必要とし、家庭で手軽に取り扱えるものではない。また、特開平１０−２１６０６３号公報には、周囲に清掃布が装着された清掃筒体と、該清掃筒体を回転可能に支持する把持本体とからなる清掃具が開示されているが、これは把持本体を押して清掃筒体を回転させる方式でありかなりの労力を伴う。
【０００３】
【発明が解決しようとする課題】
本発明は、家具類、電気器具、壁、サッシ、ブラインド、エアコン、置物等に付着したホコリ、ゴミや汚れを効率よく捕捉又は除去でき、手軽にしかも手が疲れずに処理できる回転式清拭具を提供することを目的とする。
【０００４】
【課題を解決するための手段および発明の実施の形態】
上記課題を解決するため、本発明者らは、襞付き清拭布をギアーを介してモーター回転させることにより達成できることを知見し、本発明を完成した。
【０００５】
すなわち請求項１の発明は、筒状の取っ手部にモーターと電池を収容し、前記モーターの回転をギヤーを介して８０〜８００回転／分に減速させると共に同一線上方向にアウトレットシャフトを繋ぎ、このアウトレットシャフトの先端に取り付けられた襞付き清拭布を回転させるようになした回転式清拭具に関するものである。
【０００６】
本発明で用いられる取っ手部は、直径１．５〜４ｃｍ、長さ１５〜４０ｃｍ程度の筒状のものが使いやすく、この中に通常１．５Ｖの電池が２〜４個直列に配列されるとともに、１００００回転／分程度のモーターが収容される。取っ手部の外面にはスイッチが設けられ、好ましくは電池の正負を逆に収容した場合に、回転が逆方向に切り替わるように設計される。また、取っ手部は、ポリエチレン、ポリプロピレン、ポリスチレン、ポリエステル、ポリカーボネートなどのプラスチック樹脂製が使いやすく、その長さを伸縮できる構成にしてもよい。
【０００７】
本発明の回転式清拭具は、モーターの回転をギヤー、好ましくは遊星ギヤーを介して８０〜８００回転／分、好ましくは１５０〜４００回転／分に減速させると共に同一線上方向にアウトレットシャフトを繋ぎ、このアウトレットシャフトの先端に襞付き清拭布を取り付けたことに特徴を有する。
すなわち、清掃処理面に清拭布を押し当てて通常のモーターを回転させると、処理面との抵抗で回転が止まってしまうという支障を生じる。しかるに、本発明者らは、ギヤー、好ましくは遊星ギヤーを採用することによってこの問題を解決し、かつ８０〜８００回転／分、好ましくは１５０〜４００回転／分が清拭布による汚れ除去に最も効率的であることを知見したものである。
【０００８】
遊星ギヤーの形状や大きさは限定されないが、一般に中央に太陽ギヤーを、その周囲に数個の遊星ギヤーを配し、ギヤー比が４：１ないし１０：１に設計されている。そして、この遊星ギヤーを２ないし４ユニット組み合わせることによって、モーターの回転力を保持したまま、回転数を１／１０〜１／１００に減速することが可能となる。なお、遊星ギヤーは、モーターとともに取っ手部に収容されるのが好ましく、取っ手部先端でアウトレットシャフトに接続される。
【０００９】
アウトレットシャフトは、太さが５〜１５ｍｍで長さが５〜２０ｃｍ程度のものが使いやすく、その材質は取っ手部と同様プラスチック樹脂製がよい。先端には、清拭布を取り付けるため部材が備えられるが、形状は任意のクリップでも、面上ファスナーのようなものでも構わない。
【００１０】
本発明で用いられる襞付き清拭布は、通常基布を５〜２０枚程度積層して製造される。基布の材質、構成等は何ら制限されないが、例えば、親水性繊維（レーヨン、綿等）と疎水性繊維（ポリエステル、ポリオレフィン等）の積層体、例えばレーヨン／ポリエステル／レーヨンの３層構造のもの等が使いやすく好ましい。
また、ホコリやゴミを捕捉したり、汚れを除去しやすくするため、襞付き清拭布に適宜鉱物油、シリコーン油などの油分を、清拭布全体重量に対して５〜３０％、好ましくは１０〜２０％含浸させるのが好適である。
襞の形状も任意であるが、ホコリやゴミの捕捉性、使用性の点から、切り込みの間隔が５〜１５ｍｍで、切り込みの深さが５〜１５ｃｍの多数短冊状に形成するのがよい。
【００１１】
請求項２の発明は、請求項１の回転式清拭具において、ギヤーとして、ギヤー比が４：１ないし１０：１の遊星ギヤーを２ないし４ユニット組み合わせ、減速後の回転数を１５０〜４００回転／分としたものである。
【００１２】
また、請求項３の発明は、請求項１又は２の回転式清拭具において、清拭布全体重量に対して油分を５〜３０％含浸させたものである。
【００１３】
請求項４の発明は、請求項１ないし３のいずれかの回転式清拭具において、切り込みの間隔が５〜１５ｍｍで、切り込みの深さが５〜１５ｃｍの多数短冊状に襞を形成した清拭布を用いたものである。
【００１４】
こうして得られた本発明の回転式清拭具は、襞付き清拭布を、ギヤー、好ましくは遊星ギヤーを介してモーター回転させることにより、家具類、電気器具、壁、サッシ、ブラインド、エアコン、置物等に付着したホコリ、ゴミや汚れを効率よく捕捉又は除去でき、手軽にしかも手が疲れずに清掃処理できるので、その実用性は極めて高い。
【００１５】
【実施例】
次に、具体的実施例ならびに試験例に基づいて、本発明の回転式清拭具を更に詳細に説明する。
【００１６】
実施例１
図１は本発明の回転式清拭具の一例の断面図を示す。
回転式清拭具１は、取っ手部２とアウトレットシャフト３と襞付き清拭布４とから構成され、取っ手部２は、４個の１．５Ｖ電池５とモーター６と２ユニットからなる衛星ギヤー７を収容するとともに外面にスイッチ８を有している。
本実施例では、取っ手部２の長さが約２５ｃｍ、アウトレットシャフト３の長さが約１５ｃｍで、モーター６の回転数（１００００回転／分）は衛星ギヤー７によって１／２５の４００回転／分に減速される。また、襞付き清拭布４として、縦幅６ｃｍ、横幅１２ｃｍの基布１０枚を積層したものに、間隔が１０ｍｍで深さが１０ｃｍの切り込みを多数設けて短冊状に形成したものを用い、これをアウトレットシャフト３の先端に付設したクリップ９に取り付けて、本発明の回転式清拭具１を得た。
この回転式清拭具１のスイッチ８を入れて窓のブラインドサッシを清掃したところ、襞付き清拭布４の適度な回転作用により、ホコリやゴミをきれいに捕捉でき、また汚れの除去も満足のいくものであった。更に、長時間清掃しても手が疲れず、奥まった場所の清掃にも使いやすいことから非常に便利で効率的であった。また、電池の向きを入れ替えてセットすると回転が逆になり、清拭布の両面を有効に活用することができた。
【００１７】
試験例１
実施例１に準じ、表１に示す各種清拭具を作製して清掃処理に供し、本棚や家具、又は窓のホコリや汚れの除去具合を試験した。なお、襞付き清拭布は、切り込みの間隔を１０ｍｍ、深さを８ｃｍとした。試験は以下の基準で評価し、その結果を表１に示した。
○：十分除去、　△：中程度の除去、　×：除去できない。
【００１８】
【表１】
2004121788.tif 000003
【００１９】
試験の結果、本発明の回転式清拭具は、清掃試験、使用性ともにすぐれ、実用性の高いものであった。
これに対し、衛星ギャーを介さずに回転させるもの（比較例１）は、清掃面との抵抗で回転が止まるという問題があり、衛星ギヤーを用いても回転数が８０〜８００回転／分の範囲を外れるもの（比較例２及び３）や、襞のないシート状の清拭布を用いたもの（比較例４）は、清掃試験の評価が劣り清拭具としての実用的メリットがなかった。
【００２０】
【発明の効果】
本発明は、襞付き清拭布をギヤー、好ましくは遊星ギヤーを介してモーター回転させることにより、家具類、電気器具、壁、サッシ、ブラインド、エアコン、置物等に付着したホコリ、ゴミや汚れを効率よく捕捉又は除去でき、手軽にしかも手が疲れずに清掃処理できる回転式清拭具を提供する。
【図面の簡単な説明】
【図１】本発明の回転式清拭具の断面図を示す。
【符号の説明】
１：回転式清拭具、
２：取っ手部、
３：アウトレットシャフト、
４：襞付き清拭布、
５：電池、
６：モーター、
７：衛星ギヤー、
８：スイッチ、
９：クリップ
【図１】
2004121788.tif 000004